(57)【特許請求の範囲】
【請求項１】
ＵＳＢ（Ｕｎｉｖｅｒｓａｌ  Ｓｅｒｉａｌ  Ｂｕｓ）を介して外部装置と接続される接続手段と、
前記接続手段と前記外部装置とが接続されている状態で前記外部装置から供給される電力を用いて電池を充電する充電手段と、
前記接続手段と前記外部装置とが接続されている状態で前記電池の充電が開始された後に所定の撮像モードへの移行が指示された場合であって、前記外部装置が給電可能な外部装置でない場合は、前記電池の充電中のために撮像ができないことを表示する表示手段と
を有することを特徴とする撮像装置。
【請求項２】
前記接続手段と前記外部装置とが接続されている状態で前記電池の充電が開始された後に前記所定の撮像モードへの移行が指示された場合であって、前記外部装置が給電可能な外部装置である場合は、前記撮像装置の動作モードを前記所定の撮像モードへと移行させるモード遷移手段をさらに有することを特徴とする請求項１に記載の撮像装置。
【請求項３】
ＵＳＢ（Ｕｎｉｖｅｒｓａｌ  Ｓｅｒｉａｌ  Ｂｕｓ）を介して外部装置と接続される接続手段を有する電子機器の制御方法であって、
前記接続手段と前記外部装置とが接続されている状態で前記外部装置から供給される電力を用いて電池を充電することを前記電子機器の充電手段に行わせるステップと、
前記接続手段と前記外部装置とが接続されている状態で前記電池の充電が開始された後に所定の撮像モードへの移行が指示された場合であって、前記外部装置が給電可能な外部装置でない場合は、前記電池の充電中のために撮像ができないことを前記電子機器の表示手段に表示させるステップと
を有することを特徴とする制御方法。
【請求項４】
ＵＳＢ（Ｕｎｉｖｅｒｓａｌ  Ｓｅｒｉａｌ  Ｂｕｓ）を介して外部装置と接続される接続手段を有する電子機器のコンピュータに、
前記接続手段と前記外部装置とが接続されている状態で前記外部装置から供給される電力を用いて電池を充電することを前記電子機器の充電手段に行わせるステップと、
前記接続手段と前記外部装置とが接続されている状態で前記電池の充電が開始された後に所定の撮像モードへの移行が指示された場合であって、前記外部装置が給電可能な外部装置でない場合は、前記電池の充電中のために撮像ができないことを前記電子機器の表示手段に表示させるステップと
を実行させるためのプログラム。
【発明の詳細な説明】
【技術分野】
【０００１】
本発明は、ＵＳＢ電源などの電源から供給される電力を用いて電池を充電することができる撮像装置等に関するものである。
【背景技術】
【０００２】
特許文献１には、点灯、点滅又は消灯により充電部の状態を通知することが記載されている。特許文献２には、電源をＡＣアダプタからＵＳＢ電源に変えた場合に、充電できなければ、その旨をユーザに通知することが記載されている。
【先行技術文献】
【特許文献】
【０００３】
【特許文献１】特開２０１３−１３８５９０号公報
【特許文献２】特開２０１３−１３２１２６号公報
【発明の概要】
【発明が解決しようとする課題】
【０００４】
ところで、電源がＵＳＢ電源である場合は、ＵＳＢ電源から撮像装置に供給される電力はＡＣ電源から撮像装置に供給される電力よりも制限される。そのため、ＵＳＢ電源から撮像装置に供給される電力によって電池を充電すると共に、ＵＳＢ電源から撮像装置に供給される電力によって撮像装置を動作させることを想定した場合、撮像装置の機能の一部が制限される可能性がある。
【０００５】
しかしながら、特許文献１及び特許文献２のいずれにおいても、ユーザが使用したい機能が電池の充電によって制限されていることを通知することはしていない。そのため、ユーザは、使用したい機能が電池の充電によって制限されていることを知ることができないため、なぜその機能を使用することができないのかを知ることもできない。
【０００６】
そこで、本発明は、ユーザが使用したい機能が電池の充電によって制限されていることをユーザに通知できるようにすることを目的とする。
【課題を解決するための手段】
【０００７】
本発明に係る撮像装置は、ＵＳＢ（Ｕｎｉｖｅｒｓａｌ  Ｓｅｒｉａｌ  Ｂｕｓ）を介して外部装置と接続される接続手段と、前記接続手段と前記外部装置とが接続されている状態で前記外部装置から供給される電力を用いて電池を充電する充電手段と、前記接続手段と前記外部装置とが接続されている状態で前記電池の充電が開始された後に所定の撮像モードへの移行が指示された場合であって、前記外部装置が給電可能な外部装置でない場合は、前記電池の充電中のために撮像ができないことを表示する表示手段とを有する。
本発明に係る制御方法は、ＵＳＢ（Ｕｎｉｖｅｒｓａｌ  Ｓｅｒｉａｌ  Ｂｕｓ）を介して外部装置と接続される接続手段を有する電子機器の制御方法であって、前記接続手段と前記外部装置とが接続されている状態で前記外部装置から供給される電力を用いて電池を充電することを前記電子機器の充電手段に行わせるステップと、前記接続手段と前記外部装置とが接続されている状態で前記電池の充電が開始された後に所定の撮像モードへの移行が指示された場合であって、前記外部装置が給電可能な外部装置でない場合は、前記電池の充電中のために撮像ができないことを前記電子機器の表示手段に表示させるステップとを有する。
本発明に係るプログラムは、ＵＳＢ（Ｕｎｉｖｅｒｓａｌ  Ｓｅｒｉａｌ  Ｂｕｓ）を介して外部装置と接続される接続手段を有する電子機器のコンピュータに、前記接続手段と前記外部装置とが接続されている状態で前記外部装置から供給される電力を用いて電池を充電することを前記電子機器の充電手段に行わせるステップと、前記接続手段と前記外部装置とが接続されている状態で前記電池の充電が開始された後に所定の撮像モードへの移行が指示された場合であって、前記外部装置が給電可能な外部装置でない場合は、前記電池の充電中のために撮像ができないことを前記電子機器の表示手段に表示させるステップとを実行させる。
【発明の効果】
【０００８】
本発明によれば、ユーザが使用したい機能が電池の充電によって制限されていることをユーザに通知することができる。
【図面の簡単な説明】
【０００９】
【図１】実施形態１における撮像装置１００の外観の一例を示す図である。
【図２】実施形態１における撮像装置１００が有する複数の構成要素の一例を説明するための図である。
【図３】電池３０が充電されている間にユーザが静止画撮像モード、長時間撮像モード又は動画撮像モードに遷移する指示を行った場合において、撮像装置１００でどのような処理が行われるかの一例を説明するためのフローチャートである。
【図４】撮像装置１００が静止画撮像モード、長時間撮像モード又は動画撮像モードである場合にＵＳＢ接続が行われた場合において、撮像装置１００でどのような処理が行われるかの一例を説明するためのフローチャートである。
【図５】撮像装置１００が再生モードである場合にＵＳＢ接続が行われた場合において、撮像装置１００でどのような処理が行われるかの一例を説明するためのフローチャートである。
【発明を実施するための形態】
【００１０】
以下、図面を参照して本発明の実施形態を説明する。ただし、本発明は以下の実施形態に限定されるものではない。
【００１１】
［実施形態１］
図１は、実施形態１における撮像装置１００の外観の一例を示す図である。図１は、撮像装置１００の背面の外観を示す。
【００１２】
図１において、表示部２８は、撮像画像を表示し、使用状況に応じて各種情報を表示する。シャッターボタン６１は、撮像指示をシステム制御部５０に入力するために用いられる。モード切替スイッチ６０は、複数の動作モードのうちのいずれかを選択することをシステム制御部５０に指示するために用いられる。
【００１３】
電源スイッチ７２は、撮像装置１００をＯＮ状態又はＯＦＦ状態に切り替えることをシステム制御部５０に指示するために用いられる。ダイヤル７３は、選択枠の移動、画像送りなどをシステム制御部５０に指示するために用いられる。撮像装置１００はさらに、４方向ボタン（上、下、左及び右）、ＳＥＴボタン、ＬＶボタン、拡大ボタン、再生ボタン等を有する。
【００１４】
蓋２０２は、記憶媒体２００が格納される収納部を保護するための蓋である。ＵＳＢ部９２には、ケーブル１１１が接続される。ＵＳＢホスト、ＵＳＢ電源などの外部装置は、ケーブル１１１を介してＵＳＢ部９２に接続される。
【００１５】
図２は、実施形態１における撮像装置１００が有する複数の構成要素の一例を説明するための図である。
【００１６】
図２において、レンズ部１０３は、複数のレンズから構成される。バリア１０２は、レンズ部１０３、シャッター１０１、撮像部２２を含む撮像系の汚れや破損を防止するための機構を有する。
【００１７】
シャッター１０１は、システム制御部５０からの指示により、撮像部２２の露光時間を制御することができる。シャッター１０１は、例えば、フォーカルプレーンシャッターを含む。
【００１８】
撮像部２２は、撮像素子（ＣＣＤセンサ又はＣＭＯＳセンサ）を有し、撮像素子によって取り込まれた被写体の光学像をアナログ画像信号に変換する。Ａ／Ｄ変換器２３は、撮像部２２から供給されたアナログ画像信号をデジタル画像信号に変換する。
【００１９】
画像処理部２４は、Ａ／Ｄ変換器２３から供給されたデジタル画像信号から画像データ（静止画像又は動画像を含む）を生成する。画像データが生成される過程において、画像処理部２４は、画素補間処理、リサイズ処理、色変換処理及び画像処理の少なくとも一つを行うことにより、画像データを処理する。さらに、画像処理部２４は、所定の圧縮符号化方式に従って画像データを符号化することもできる。画像処理部２４で生成された画像データは、メモリ３２に格納される。システム制御部５０は、画像処理部２４で生成された画像データを用いて所定の演算処理を行うことにより、自動露光制御、自動露出制御及び自動ホワイトバランス制御を行うことができる。さらに、画像処理部２４は、画像処理部２４で生成された画像データからその画像データの縮小画像データ（静止画像又は動画像を含む）を生成する。画像処理部２４で生成された画像データの縮小画像データは、メモリ３２に格納される。画像処理部２４は、記憶媒体２００から再生された画像データからその画像データの縮小画像データ（静止画像又は動画像を含む）を生成することもできる。記憶媒体２００から再生された画像データの縮小画像データは、メモリ３２に格納される。
【００２０】
メモリ制御部１５は、メモリ３２へのアクセスを制御する。メモリ３２は、所定枚数の静止画像又は所定時間の動画像に相当する画像データを格納するのに十分な記憶容量を有する。
【００２１】
Ｄ／Ａ変換器１９は、画像処理部２４で生成された画像データの縮小画像データ又は記憶媒体２００から再生された画像データの縮小画像データからアナログ画像信号を生成する。Ｄ／Ａ変換器１９で生成されたアナログ画像信号は表示部２８に供給される。表示部２８は、液晶表示器などを有する表示部である。表示部２８は、Ｄ／Ａ変換器１９から供給されたアナログ画像信号に対応する画像を表示する。これにより、表示部２８は、電子ビューファインダとして機能することができる。撮像部２２で撮像された画像のライブビュー表示は、表示部２８によって行われる。
【００２２】
メモリ５６は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）によって構成されるメモリである。メモリ５６には、システム制御部５０で実行可能な一つ以上のプログラム等が記憶される。メモリ５６に記憶される一つ以上のプログラムは、撮像装置１００の動作を制御するためのプログラムを含む。
【００２３】
システム制御部５０は、撮像装置１００全体を制御するための１つ以上のマイクロコンピュータ（又はマイクロプロセッサ）を有する。システム制御部５０は、メモリ５６に記憶されている一つ以上のプログラムを実行することで、実施形態１で説明する様々な処理（図３〜図５を参照して説明する処理を含む）を制御することができる。
【００２４】
メモリ５２は、例えば、ＲＡＭ（Ｒａｎｄｏｍ  Ａｃｃｅｓｓ  Ｍｅｍｏｒｙ）によって構成されるメモリである。メモリ５２には、メモリ５６から読み出されたプログラム等が記憶される。また、システム制御部５０は、メモリ３２、Ｄ／Ａ変換器１９、表示部２８等を制御することにより、表示部２８に表示される画像の表示制御を行うこともできる。システムタイマー５３は、様々な時間を計測する計時部である。
【００２５】
モード切替スイッチ６０は、撮像装置１００の動作モードを、静止画撮像モード、長時間撮像モード、動画撮像モード及び再生モードのいずれかに切り替えることをシステム制御部５０に指示するために用いられる。撮像装置１００の動作モードが静止画撮像モードである場合、撮像装置１００は、単写撮像機能又は連写撮像機能により、１つ以上の静止画像を撮像することができる。撮像装置１００の動作モードが長時間撮像モードである場合、撮像装置１００は、長時間撮像機能により、１つ以上の静止画像を撮像することができる。撮像装置１００の動作モードが動画撮像モードである場合、撮像装置１００は、動画撮像機能により、１つ以上の動画像を撮像することができる。撮像装置１００の動作モードが再生モードである場合、撮像装置１００は、記憶媒体２００に格納されている画像データ（静止画像又は動画像を含む）を記憶媒体２００から再生することができる。記憶媒体２００から再生された画像データは、表示部２８に表示されると共に、ＵＳＢ部９２又は無線通信部５４から外部装置に送信される。
【００２６】
第１シャッタースイッチ６２は、シャッターボタン６１が半押し状態でＯＮとなり、第１シャッタースイッチ信号ＳＷ１（撮像準備指示）をシステム制御部５０に供給する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等を開始する。
【００２７】
第２シャッタースイッチ６４は、シャッターボタン６１が全押し状態でＯＮとなり、第２シャッタースイッチ信号ＳＷ２（撮像指示）をシステム制御部５０に供給する。システム制御部５０は、第２シャッタースイッチ信号ＳＷ２により、撮像部２２によって撮像された画像に対応する画像データの生成と、その画像データの記憶媒体２００への書き込みとを開始する。
【００２８】
指示入力部７０は、ユーザからの指示をシステム制御部５０に入力するためのユーザインターフェース部であり、複数の機能ボタンを有する。複数の機能ボタンには、例えば、終了ボタン、戻るボタン、画像送りボタン、ジャンプボタン、絞込みボタン、属性変更ボタン等が含まれる。例えば、メニューボタンが押されると、所定のメニュー画面が表示部２８に表示される。ユーザは、表示部２８に表示されたメニュー画面と、４方向ボタン及びＳＥＴボタンとを用いて、各種設定を撮像装置１００に入力することができる。指示入力部７０に含まれる複数の機能ボタンは、表示部２８に表示されるボタンであってもよい。この場合、表示部２８は、タッチパネルとして動作する。
【００２９】
指示入力部７０は、ユーザからの指示を入力するためのユーザインターフェース部である。指示入力部７０には、少なくとも、シャッターボタン６１、メイン電子ダイヤル、ホイール、電源スイッチ７２、ダイヤル７３、４方向ボタン、ＳＥＴボタン、ＬＶボタン、拡大ボタン、再生ボタンが含まれる。
【００３０】
電源制御部８０は、電池検出回路、ＤＣ−ＤＣコンバータ等を有し、電池３０が撮像装置１００に接続されているか否かの検出と、電池３０の種類の検出と、電池３０の残量の検出とを行う。電源制御部８０は、システム制御部５０の指示に基づいてＤＣ−ＤＣコンバータを制御することにより、撮像装置１００の全ての構成要素が必要とする電力を撮像装置１００の全ての構成要素に供給することができる。
【００３１】
電池３０は、少なくとも一つの充電可能な電池セル（例：リチウムイオン電池セル）を有する。電池３０は、撮像装置１００から取り外し可能な電池であっても、撮像装置１００に内蔵された電池であってもよい。
【００３２】
記憶媒体制御部１８は、記憶媒体制御部１８に接続された記憶媒体２００と通信を行うためのインターフェース部である。記憶媒体２００は、半導体メモリ、メモリカード、ハードディスク装置等を含む記憶媒体であり、撮像部２２で生成された画像データ（静止画像又は動画像を含む）を記憶することができる。記憶媒体２００は、撮像装置１００から取り外し可能な記憶媒体であっても、撮像装置１００に内蔵された記憶媒体であってもよい。なお、記憶媒体２００が必要とする電力は、記憶媒体制御部１８を介して電池３０から記憶媒体２００に供給される。
【００３３】
無線通信部５４は、無線ＬＡＮ（Ｌｏｃａｌ  Ａｒｅａ  Ｎｅｔｗｏｒｋ）等の無線通信ネットワークに接続された外部装置と無線通信を行うことができる。無線通信部５４は、撮像部２２によって撮像された画像に対応する画像データを外部装置に無線で送信したり、記憶媒体２００に格納されている画像データを外部装置に無線で送信したり、外部装置から無線で送信された画像データを受信したりすることができる。
【００３４】
姿勢検知部５５は、重力方向に対する撮像装置１００の姿勢を検知する。姿勢検知部５５で検知された撮像装置１００の姿勢は、システム制御部５０に通知される。
【００３５】
ＵＳＢ部９２は、ＵＳＢ（Ｕｎｉｖｅｒｓａｌ  Ｓｅｒｉａｌ  Ｂｕｓ）規格及びＵＳＢ  Ｂａｔｔｅｒｙ  Ｃｈａｒｇｉｎｇ  Ｓｐｅｃｉｆｉｃａｔｉｏｎに準拠したインターフェース部である。システム制御部５０は、ＵＳＢ部９２を制御することにより、ＵＳＢホスト（例：パーソナルコンピュータ）などの外部装置と通信することができる。さらに、ＵＳＢ部９２は、ＵＳＢ電源からの電力をケーブル１１１を介して受け取ることができる。ＵＳＢ電源は、外部電源装置として動作する電源である。ＡＣ−ＵＳＢアダプタ又はＵＳＢホストがＵＳＢ電源として動作することができる。ＵＳＢ部９２は、ＵＳＢ電源から受け取った電力を用いて、撮像装置１００に接続された電池３０を充電することができる。実施形態１及び他の実施形態では、電池３０がＵＳＢ電源から受け取った電力によって充電されることを「ＵＳＢ充電」と呼ぶ。ＵＳＢ部９２は、ＵＳＢ充電を制御する充電制御部として動作することができる。
【００３６】
次に、図３〜図５を参照し、撮像装置１００で行われる処理を説明する。
【００３７】
図３は、電池３０が充電されている間にユーザが静止画撮像モード、長時間撮像モード又は動画撮像モードに遷移する指示を行った場合において、撮像装置１００でどのような処理が行われるかの一例を説明するためのフローチャートである。
【００３８】
Ｓ３００において、電源スイッチ７２がＯＮにされると、システム制御部５０は、Ｓ３０１に進む。
【００３９】
Ｓ３０１において、システム制御部５０は、外部接続状態を判定する。外部接続状態が変化ありと判定された場合、システム制御部５０は、Ｓ３０２に進む。外部接続状態が変化なしと判定された場合、システム制御部５０は、Ｓ３１４に進む。
【００４０】
Ｓ３０２において、システム制御部５０は、外部装置が接続されているか否かを判定する。外部装置が接続されていると判定された場合、システム制御部５０は、Ｓ３０４に進む。外部装置が接続されていないと判定された場合、システム制御部５０は、Ｓ３０３に進む。
【００４１】
Ｓ３０３において、システム制御部５０は、充電中かどうかを判定する。充電中と判定された場合、システム制御部５０は、Ｓ３１１に進む。充電していないと判定された場合、システム制御部５０は、Ｓ３１３に進む。
【００４２】
Ｓ３０４において、システム制御部５０は、撮像装置１００の動作モードを判定する。静止画撮像モード、長時間撮像モード又は動画撮像モードと判定された場合、システム制御部５０は、Ｓ３０６に進む。再生モードと判定された場合、システム制御部５０は、Ｓ３０５に進む。
【００４３】
Ｓ３０５において、システム制御部５０は、撮像装置１００の動作モードを再生モードに遷移する。
【００４４】
Ｓ３０６において、システム制御部５０は、充電を開始する。
【００４５】
Ｓ３０７において、システム制御部５０は、ＳＷ１／２又は動画ボタン押下などが行われたことを検出することにより、ユーザにより静止画撮像モード、長時間撮像モード又は動画撮像モードへ遷移したいと判定する指示入力をされたか否かを判定する。静止画撮像モード、長時間撮像モード又は動画撮像モードへ遷移する指示入力がされたと判定された場合、システム制御部５０は、Ｓ３０８に進む。静止画撮像モード、長時間撮像モード又は動画撮像モードへ遷移する指示入力はされていないと判定された場合、システム制御部５０は、Ｓ３１４に進む。
【００４６】
Ｓ３０８において、システム制御部５０は、接続中の外部装置が給電可能な外部装置か否かを判定する。給電可能な外部装置であると判定された場合、システム制御部５０は、Ｓ３０９に進む。給電できない外部装置であると判定された場合、システム制御部５０は、Ｓ３１０に進む。
【００４７】
Ｓ３０９において、システム制御部５０は、外部装置から給電を開始する。
【００４８】
Ｓ３１０において、システム制御部５０は、電池３０の残量を確認し電池３０の残量が所定の残量を上回るか否かを判定する。電池３０の残量が十分に撮像可能と判定された場合、システム制御部５０は、Ｓ３１１に進む。電池３０の残量が不足していると判定された場合、システム制御部５０は、Ｓ３１２に進む。
【００４９】
Ｓ３１１において、システム制御部５０は、充電を停止する。
【００５０】
Ｓ３１２において、システム制御部５０は、接続中の外部装置が給電可能な外部装置ではなく、かつ、充電中のために撮像ができないことを表示部２８に表示する。
【００５１】
Ｓ３１３において、システム制御部５０は、静止画撮像モード、長時間撮像モード又は動画撮像モードに遷移する。
【００５２】
Ｓ３１４において、システム制御部５０は、電源スイッチ７２がＯＦＦにされたか否かを判定する。電源スイッチ７２がＯＦＦにされたと判定された場合、システム制御部５０は、Ｓ３１５に進む。電源スイッチ７２がＯＦＦにされていないと判定された場合、システム制御部５０は、Ｓ３０１に進む。
【００５３】
Ｓ３１５において、システム制御部５０は、撮像装置１００を電源ＯＦＦ状態にする。
【００５４】
図４は、撮像装置１００が静止画撮像モード、長時間撮像モード又は動画撮像モードである場合にＵＳＢ接続が行われた場合において、撮像装置１００でどのような処理が行われるかの一例を説明するためのフローチャートである。
【００５５】
Ｓ４００において、システム制御部５０は、静止画撮像モード、長時間撮像モード又は動画撮像モードを開始する。
【００５６】
Ｓ４０１において、システム制御部５０は、外部接続状態を判定する。外部接続状態が変化ありと判定された場合、システム制御部５０は、Ｓ４０２に進む。外部接続状態が変化なしと判定された場合、システム制御部５０は、Ｓ４０１において待機状態となる。
【００５７】
Ｓ４０２において、システム制御部５０は、外部装置が接続されているか否かを判定する。外部装置が接続されていると判定された場合、システム制御部５０は、Ｓ４０５に進む。外部装置が接続されていないと判定された場合、システム制御部５０は、Ｓ４０３に進む。
【００５８】
Ｓ４０３において、システム制御部５０は、充電中かどうかを判定する。充電中と判定された場合、システム制御部５０は、Ｓ４０４に進む。充電していないと判定された場合、システム制御部５０は、Ｓ４０１に戻る。
【００５９】
Ｓ４０４において、システム制御部５０は充電を停止し、その後、Ｓ４０１に戻る。
【００６０】
Ｓ４０５において、システム制御部５０は、接続されている外部装置は給電可能な外部装置か否かを判定する。給電可能な外部装置であると判定された場合、システム制御部５０は、Ｓ４０７に進む。給電できない外部装置であると判定された場合、システム制御部５０は、Ｓ４０６に進む。
【００６１】
Ｓ４０６において、システム制御部５０は、再生モードにモード遷移を行う。その後、Ｓ４１１に移行して静止画撮像モード、長時間撮像モード又は動画撮像モードを終了する。
【００６２】
Ｓ４０７において、システム制御部５０は、給電を開始し、その後、Ｓ４０８に移行する。
【００６３】
Ｓ４０８において、システム制御部５０は、充電と給電が同時に可能な外部装置かどうかを判定するための給電判定処理を行う。充電と給電が同時に可能と判定された場合、システム制御部５０は、Ｓ４０９に進む。充電と給電が同時にできないと判定された場合、システム制御部５０は、Ｓ４１０に進む。
【００６４】
Ｓ４０９において、システム制御部５０は、外部装置から供給される電力を用いてＵＳＢ充電を開始する。
【００６５】
Ｓ４１０において、システム制御部５０は、ＵＳＢ接続中の静止画撮像モード、長時間撮像モード又は動画撮像モードでは給電のみ行うことを表示部２８に表示してユーザに通知する。その後、Ｓ４０１に移行する。
【００６６】
図５は、撮像装置１００が再生モードである場合にＵＳＢ接続が行われた場合において、撮像装置１００でどのような処理が行われるかの一例を説明するためのフローチャートである。
【００６７】
Ｓ５００において、システム制御部５０は、再生モードを開始する。
【００６８】
Ｓ５０１において、システム制御部５０は、外部接続状態を判定する。外部接続状態が変化ありと判定された場合、システム制御部５０は、Ｓ５０２に進む。外部接続状態が変化なしと判定された場合、システム制御部５０は、Ｓ５０１において待機状態となる。
【００６９】
Ｓ５０２において、システム制御部５０は、外部装置が接続されているか否かを判定する。外部装置が接続されていると判定された場合、システム制御部５０は、Ｓ５０５に進む。外部装置が接続されていないと判定された場合、システム制御部５０は、Ｓ５０３に進む。
【００７０】
Ｓ５０３において、システム制御部５０は、充電中かどうかを判定する。充電中と判定された場合、システム制御部５０は、Ｓ５０４に進む。充電していないと判定された場合、システム制御部５０は、Ｓ５０１に進む。
【００７１】
Ｓ５０４において、システム制御部５０は、充電を停止する。
【００７２】
Ｓ５０５において、システム制御部５０は、充電を開始する。
【００７３】
Ｓ５０６において、システム制御部５０は、ユーザにより静止画撮像モード、長時間撮像モード又は動画撮像モードへ遷移したいと判定する指示入力をされたか否かを判定する。静止画撮像モード、長時間撮像モード又は動画撮像モードへ遷移する指示入力がされたと判定された場合、システム制御部５０は、Ｓ５０７に進む。静止画撮像モード、長時間撮像モード又は動画撮像モードへ遷移する指示入力はされていないと判定された場合、システム制御部５０は、Ｓ５０１に進む。
【００７４】
Ｓ５０７において、システム制御部５０は、撮像装置１００に接続されている外部装置は給電可能な外部装置か否かを判定する。給電可能な外部装置であると判定された場合、システム制御部５０は、Ｓ５０９に進む。給電できない外部装置と判定された場合、システム制御部５０は、Ｓ５０８に進む。
【００７５】
Ｓ５０８において、システム制御部５０は、充電中のため撮像ができない旨を表示部２８に表示してユーザに通知する。
【００７６】
Ｓ５０９において、システム制御部５０は、静止画撮像モード、長時間撮像モード又は動画撮像モードに遷移する。
【００７７】
Ｓ５１０において、再生モードを終了する。
【００７８】
以上説明したように、実施形態１によれば、ユーザが使用したい機能が電池３０の充電によって制限されていることをユーザに通知することができる。
【００７９】
［実施形態２］
実施形態１で説明した様々な機能、処理及び方法は、パーソナルコンピュータ、マイクロコンピュータ、マイクロプロセッサ、ＣＰＵ（Ｃｅｎｔｒａｌ  Ｐｒｏｃｅｓｓｉｎｇ  Ｕｎｉｔ）などがプログラムを用いて実現することもできる。以下、実施形態２では、パーソナルコンピュータ、マイクロコンピュータ、マイクロプロセッサ、ＣＰＵなどを「コンピュータＸ」と呼ぶ。さらに、実施形態２では、コンピュータＸを制御するためのプログラムであって、実施形態１で説明した様々な機能、処理及び方法を実現するためのプログラムを「プログラムＹ」と呼ぶ。
【００８０】
実施形態１で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態２におけるコンピュータ読み取り可能な記憶媒体は、ｎｏｎ−ｔｒａｎｓｉｔｏｒｙな記憶媒体である。
【符号の説明】
【００８１】
２２  撮像部
２８  表示部
３０  電池
５０  システム制御部
６０  モード切り替スイッチ
６１  シャッターボタン
７０  指示入力部
１００  撮像装置
【図１】
0006611579.tif 000002
【図２】
0006611579.tif 000003
【図３】
0006611579.tif 000004
【図４】
0006611579.tif 000005
【図５】
0006611579.tif 000006